(57)【要約】【課題】  店舗から注文された商品の選択管理装置の数量表示器の安定した操作を実現すること。【解決手段】  商品棚に多数の収納部を設け、各収納部ごとに数量表示器を設け、数量表示器は表示部、数量表示器ケース、給電コネクタから成り、数量表示器ケースはケース本体に合成樹脂製の導電体保持体を嵌合して成り、導電体保持体に導電体敷設溝を長手方向に平行に形成してこの導電体敷設溝に導電体を敷設し、導電体敷設溝相互間に隔壁を長手方向に平行に立設した構成。【選択図】  図３
2005255411.tif 000002
【特許請求の範囲】
【請求項１】
商品棚に多数の収納部を設け、各収納部ごとに数量表示器を設け、数量表示器は表示部、数量表示器ケース、給電コネクタから成り、数量表示器ケースはケース本体に合成樹脂製の導電体保持体を嵌合して成り、導電体保持体に導電体敷設溝を長手方向に平行に形成してこの導電体敷設溝に導電体を敷設し、導電体敷設溝相互間に隔壁を長手方向に平行に立設したことを特徴とする数量表示器。
【請求項２】
商品棚に多数の収納部を設け、各収納部ごとに数量表示器を設け、数量表示器は表示部、数量表示器ケース、給電コネクタから成り、数量表示器ケースはケース本体に合成樹脂製の導電体保持体を嵌合して成り、導電体保持体に導電体敷設溝を長手方向に平行に形成してこの導電体敷設溝に導電体を敷設し、給電コネクタの左右両側壁の外側に長手方向に平行に楔状突起部を形成し、ケース本体の左右両側壁の内側に断面が楔状のありみぞを長手方向に平行に形成し、楔状突起部をありみぞに嵌合して成ることを特徴とする数量表示器。
【発明の詳細な説明】
【技術分野】
【０００１】  本発明は、店舗から注文された商品の選択管理装置に付設された数量表示器に関する。
【背景技術】
【０００２】  商品の選択管理装置に付設された数量表示器の一般的構成を示すものとして特許文献１を挙げることができる。
【特許文献１】  特開平１１−２０８８２７号（第４頁、図１）
【発明の開示】
【発明が解決しようとする課題】
【０００３】  本発明は、特許文献１に記載された数量表示器を改良したものであり、安定した操業を期することができる。
【課題を解決するための手段】
【０００４】  請求項１に係る数量表示器は、商品棚に多数の収納部を設け、各収納部ごとに数量表示器を設け、数量表示器は表示部、数量表示器ケース、給電コネクタから成り、数量表示器ケースはケース本体に合成樹脂製の導電体保持体を嵌合して成り、導電体保持体に導電体敷設溝を長手方向に平行に形成してこの導電体敷設溝に導電体を敷設し、導電体敷設溝相互間に隔壁を長手方向に平行に立設したことを特徴とする。
請求項２に係る数量表示器は、商品棚に多数の収納部を設け、各収納部ごとに数量表示器を設け、数量表示器は表示部、数量表示器ケース、給電コネクタから成り、数量表示器ケースはケース本体に合成樹脂製の導電体保持体を嵌合して成り、導電体保持体に導電体敷設溝を長手方向に平行に形成してこの導電体敷設溝に導電体を敷設し、給電コネクタの左右両側壁の外側に長手方向に平行に楔状突起部を形成し、ケース本体の左右両側壁の内側に断面が楔状のありみぞを長手方向に平行に形成し、楔状突起部をありみぞに嵌合して成ることを特徴とする。
【発明の効果】
【０００５】  １．導電体保持体６の導電体敷設溝６２相互間に隔壁６４が長手方向に平行に立設されているので、隔壁６４相互間の凹所に水分が生じた場合でも導電体６３同士が短絡することがない。
２．ケース本体５の左右両側壁の内側に断面が楔状のありみぞ５１を形成し、給電コネクタ３、４の左右両側壁の外側に楔状突起部３１、４１を形成したので、給電コネクタ３、４の楔状突起部３１、４１をケース本体５のありみぞ５１に嵌合することによりケース本体５と給電コネクタ３、４を迅速かつ確実に結合することができる。
【発明を実施するための最良の形態】
【０００６】  本発明の実施の形態を添付図面を基づいて説明する。
図１において、商品棚１００には、多数の収納部１００ａ、１００ａ、・・・が設けられており、各収納部１００ａには商品が種類ごとに区分されて保管されている。各収納部１００ａごとに数量表示器Ａが設けられ、数量表示器Ａは表示部１、数量表示器ケース２、給電コネクタ３、４から成る（図３参照）。
表示部１は文字表示部１ａ、点灯表示部１ｂ、桁部１ｃ、数量部１ｄを備えている（図２参照）。数量表示器ケース２はケース本体５と導電体保持体６から成る（図４参照）。
図６において、ケース本体５の左右両側壁の内側に断面が楔状のありみぞ５１が長手方向に平行に形成されている。ケース本体５の底部には長手方向に平行に突条５２、５２、・・・が形成されており、これらの突条５２は導電体保持体６の凹溝６１に嵌合する。
図５において、合成樹脂製の導電体保持体６には導電体敷設溝６２が設けられ、導電体敷設溝６２は長手方向に平行に４条形成されていて、断面円形の導電体６３（図４）が４本敷設されている。導電体敷設溝６２相互間には隔壁６４が長手方向に平行に立設されている。隔壁６４を立設した理由は次のとおりである。例えば、大気中の水蒸気が結露して隔壁６４、６４間の凹所に水分が生じた場合に、もし隔壁６４が無いと導電体６３同士が短絡することが起きるが、本発明では隔壁６４が立設されているので短絡を防止することができる。
図３における給電コネクタ３の左右両側壁の外側に長手方向に平行に楔状突起部３１が形成されており、楔状突起部３１はケース本体５のありみぞ５１に嵌合することができる。３２、３２、・・・は電線である。給電コネクタ４は給電コネクタ３と同じ構造で、楔状突起部４１が形成されている。４２、４２、・・・は電線である。
図１において、７はホストコンピュータ、８はフロッピーディスク、９は制御用コンピュータ、１０はプリンタ、１１はバーコードリーダー、１２は検品用ブロックコントローラ、１３は店番表示器である。【０００７】  図７は本発明の他の実施例で、導電体６３′の断面形状が台形に形成されたものを示し、数量表示器側と安定した接触が得られる。図８は導電体保持体６′の端面図である。【０００８】  商品選択の作用動作の概要は次のとおりである。
注文が配送センターのホストコンピュータ７に入力されると、配送センターで各店舗ごとの注文リストが作成され、これらの注文リストはフロッピーディスク８を介して制御用コンピュータ９に入力される。注文リストはプリンタ１０でプリントアウトされ、各収納部１００ａごとに分類される。作業者がバーコードリーダー１１で注文リストを読み取ると、検品用ブロックコントローラ１２からコマンド“作業店舗表示”が制御用コンピュータ９に入力する。すると、店番表示器１３に商品を注文した店舗の店番が表示され、数量表示器Ａの文字表示部１ａに該当する商品の選択すべき数量が表示され、点灯表示部１ｂが点灯する。作業者は数量表示器１が点灯している収納部１００ａから表示されている数量の商品を取り出して載置台に置く。作業者は点灯表示部１ｂを押して文字表示部１ａの表示を消す。このようにして、ブロック内の全商品の選択を行なう。
【図面の簡単な説明】
【０００９】
【図１】１ブロック分の商品棚の概略図である。
【図２】数量表示器の表示部の概略図である。
【図３】本発明の一実施例の数量表示器の分解斜視図である。
【図４】図３のＩＶ−ＩＶ断面図である。
【図５】導電体保持体の端面図である。
【図６】数量表示器ケースのケース本体の端面図である。
【図７】本発明の他の実施例で導電体の断面形状が台形のものを示す。
【図８】導電体保持体の端面図である。
【符号の説明】
１００  商品棚
１００ａ  収納部
Ａ    数量表示器
１    表示部
２    数量表示器ケース
３    給電コネクタ
３１  楔状突起部
４    給電コネクタ
４１  楔状突起部
５    ケース本体
５１  ありみぞ
５２  突条
６、６′  導電体保持体
６１  凹溝
６２、６２′  導電体敷設溝
６３、６３′  導電体
６４  隔壁
【図１】
2005255411.tif 000003
【図２】
2005255411.tif 000004
【図３】
2005255411.tif 000005
【図４】
2005255411.tif 000006
【図５】
2005255411.tif 000007
【図６】
2005255411.tif 000008
【図７】
2005255411.tif 000009
【図８】
2005255411.tif 000010